(57)【要約】【課題】マスクの周縁部と肌との間に隙間が生じないようにした立体マスクを提供する。【解決手段】マスク本体１０Ａと該マスク本体内側に貼着されるシートカップ２０から構成され、両部材は共に通気性を有する不織布を左右対称にして形成される。  マスク本体は高伸縮性を有する不織布からなり、口許及び鼻孔周辺を覆うカバー部１４と、該カバー部の左右両端の所定位置に耳掛け部１３が形成される。  シートカップは低伸縮性を有する不織布からなり、前記カバー部よりも上下長さが短く形成されて鼻孔及び口部を覆い、前記シートカップと前記カバー部との間に高伸縮性の帯部１８，１９が区画形成される。  前記シートカップの上端部に間隔Ｄを空けて可撓性と非弾性を備える合成樹脂材を短冊状に形成した左右一対の補強片２３，２４を左右の小鼻上部に位置するように貼着する。該補強片を小鼻部分に沿って撓ませることで前記シートカップの上縁部分を顔面に密着させる。【選択図】図１
2005328937.tif 000002
【特許請求の範囲】
【請求項１】
マスク本体と該マスク本体内側に貼着されるシートカップから構成され、両部材は共に通気性を有する不織布から形成され、前記マスク本体は繊維を高密度に積層し、かつ高伸縮性を有する不織布からなり、口許及び鼻孔周辺を覆うカバー部と、該カバー部の左右両端に連設される耳掛け部が形成され、前記シートカップは低伸縮性を有する不織布からなり、少なくとも鼻孔及び口部を覆い、かつ前記カバー部よりも上下の長さが短く形成されて、前記シートカップの上側縁部と前記カバー部の上側縁部との間及び前記シートカップの下側縁部と前記カバー部の下側縁部との間に高伸縮性の帯部が区画形成されるようにしたことを特徴とする立体マスク。
【請求項２】
可撓性と非弾性を備えた合成樹脂材からなる短冊状に形成した左右一対の補強片を前記シートカップの左右上端部に沿って所定間隔を空けて取り付け、前記シートカップが口許を被覆する際に該補強片が左右の小鼻上部に位置するようにして、該補強片が前記シートカップの上縁部分を補強すると共に鼻部の曲線形状に沿って撓み、前記シートカップの上縁部分が顔面に密着するようにしたことを特徴とする請求項１に記載の立体マスク。
【発明の詳細な説明】
【技術分野】
【０００１】
本発明は、顔表面の凹凸に合うように形成した不織布からなる立体マスクに関する。
【背景技術】
【０００２】
従来の立体マスクは、折り目をつけて畳まれた不織布によって鼻腔及び口許を覆うようにしていた。しかし、口に不織布が当接するため会話等が行ない難く、また小鼻脇に生じる隙間から花粉等が侵入する問題があった。
そこで、特開平０９−１４９９４６号公報に開示されているように、口許及び鼻腔とを被覆する低伸縮性の不織布を積層してカップ状にした覆い部を形成すると共に、その両端へ高伸縮性の不織布を用いた耳掛け部を連設して構成した立体マスクがある。このマスクによって、ガーゼ若しくは不織布が口に当接して不快感を感じる問題は解決された。
【特許文献１】特開平０９−１４９９４６号公報
【発明の開示】
【発明が解決しようとする課題】
【０００３】
しかしながら、上記の立体マスクは、口許及び鼻孔周辺を覆う覆い部の上下縁部まで低伸縮性の不織布のままである。したがって、覆い部に柔軟性が無いため、マスクと顔表面との間に隙間が生じ、隙間から花粉等が口とマスクの間の空間へ侵入してしまう。
【０００４】
本発明は上記の課題を鑑み為された物であって、マスクの周縁部と肌との間に隙間が生じないようにした立体マスクを提供することを目的とする。
【課題を解決するための手段】
【０００５】
上記課題を解決するために本発明は、マスク本体と該マスク本体内側に貼着されるシートカップから構成され、両部材は共に通気性を有する不織布から形成され、前記マスク本体は繊維を高密度に積層し、かつ高伸縮性を有する不織布からなり、口許及び鼻孔周辺を覆うカバー部と、該カバー部の左右両端に連設される耳掛け部が形成され、前記シートカップは低伸縮性を有する不織布からなり、少なくとも鼻孔及び口部を覆い、かつ前記カバー部よりも上下の長さが短く形成されて、前記シートカップの上側縁部と前記カバー部の上側縁部との間及び前記シートカップの下側縁部と前記カバー部の下側縁部との間に高伸縮性の帯部が区画形成されるようにしたことを特徴とする。
また好ましくは、可撓性と非弾性を備えた合成樹脂材からなる短冊状に形成した左右一対の補強片を前記シートカップの左右上端部に沿って所定間隔を空けて取り付け、前記シートカップが口許を被覆する際に該補強片が左右の小鼻上部に位置するようにして、該補強片が前記シートカップの上縁部分を補強すると共に鼻部の曲線形状に沿って撓み、前記シートカップの上縁部分が顔面に密着するようにした。
【発明の効果】
【０００６】
本発明の立体マスクによれば、マスク本体を形成する不織布は繊維を高密度にしたものであって、シートカップを形成する不織布よりも高伸縮性を有するものが用いられる。また、マスク本体のカバー部内側面に、該カバー部上下端の長さよりも上下端の長さが短くなるように形成したシートカップの外側面を貼着して、カバー部の上下側縁部とシートカップの周縁部との間に高伸縮性を備えた帯部を区画形成した。したがって、マスク本体を耳に掛けてカバー部が肌に向かってシートカップを押圧してもシートカップは圧潰されずに形状を保つことができ、口とシートカップ内側との間の空間は潰れないことで会話や呼吸などを容易に行なうことができる。そして、マスク本体で区画形成された上帯部と下帯部が顔表面に密着するため、帯部の高密度不織布が空気中に混在する花粉等を捕捉して、鼻及び口とシートカップ内側面との間の空間に花粉等の微粉末が浸入することを防ぐことができる。
また、シートカップの外側面上端に可撓性と非弾性を備えた合成樹脂材からなる一対の短冊状補強片を所定間隔で取り付けた。これによって、シートカップが当接する上顎側の縁部を補強しカップ形状を保持することができる。そのためシートカップは鼻孔或は口に密着せず、会話や呼吸を楽に行なうことができる。一方、所定間隔を空けて左右に分けた補強片は鼻の頂部を圧迫せずに鼻部の曲線形状に沿って撓むようにした。したがって、シートカップとマスク本体を形成する不織布の上端中央部分は左右補強片間の隙間で鼻梁部に密着することができ、かつシートカップの上縁部分は個体差のある顔面形状に合わせて密着することができる。また、補強片を形成する合成樹脂材が非弾性を備えるため、一度小鼻部分の形状に合わせて補強片を撓ませると、該補強片はその形状を保持することができる。したがって、補強片が復原してシートカップ上端部分を小鼻部分から浮き上がらせることは無く、顔面への密着状態を保持することができる。
【発明を実施するための最良の形態】
【０００７】
本発明を最良に実施するための立体マスクは、マスク本体と該マスク本体内側に貼着されるシートカップから構成され、両部材は共に通気性を有する熱可塑性の不織布からなる。
マスク本体は、その構成する繊維を高密度に積層すると共に高伸縮性を備える不織布を、略三角形に裁断した一対の側面部からなり、左右側面部の所定位置へ耳掛け部を形成し、一方の側面部の端部と他方の側面部の対向する端部を接合して、口許及び鼻孔周辺を覆うカバー部が形成される。
シートカップは低伸縮性を有する不織布を略四角形に裁断した一対のフィルタ部からなり、一方のフィルタ部の端部と他方のフィルタ部の対向する端部を接合した一端に対し、接合していない他端を拡開してカップ状に形成すると共に、鼻孔及び口部を覆うように前記カバー部に収まる。したがって、前記シートカップと前記カバー部との上下側縁部の間に帯部が区画形成される。
また、可撓性と非弾性を備えた合成樹脂材からなる短冊状に形成した左右一対の補強片を前記シートカップの左右上端部に沿って所定間隔を空けて取り付ける。
【実施例１】
【０００８】
本発明の実施例に係る立体マスク１０は、図１及び図２に示すようにマスク本体１０Ａとシートカップ２０からなり、マスク本体１０Ａは左側面部１１と右側面部１２から構成され、マスク本体１０Ａの内側に貼着されるシートカップ２０は左フィルタ２１と右フィルタ２２から構成される。
【０００９】
マスク本体１０Ａは、熱可塑性の合成繊維を高密度に積層して花粉等の粉塵が略完全に（９５％〜９９％程度）捕捉出来るようにし、かつ高伸縮性を備えた不織布から形成される。この不織布を略三角形に裁断して一対の左側面部１１及び右側面部１２を形成する。図３に示すように、側面部を成す三つの端縁部はそれぞれ、外側ヘ膨らむようにカーブする接合端部１５、内側へカーブする上側縁部１６及び略直線状の下側縁部１７とする。ここで一方の側面部の接合端部１５は対向する他方の側面部の接合端部１５と熱によって溶着し鼻と口許を覆うカバー部１４を形成する。このときマスク本体１０Ａを拡開すると、カバー部１４外側面に溶着部分による突条１５ａが位置し、また接合端部１５がカーブしているため、接合端部１５の上端が下方へ、かつ下端が上方へ回り込んで、カバー部１４はカップ状に形成される。
そして、上側縁部１６と下側縁部１７とが係合し形成する角部の所定位置に、カバー部１４に向かって幅が漸増するように、略三角形の耳掛け部１３が不織布を切除して形成される。
【００１０】
シートカップ２０は、マスク本体１０Ａを形成する不織布よりも低伸縮性の熱可塑性不織布から形成される。図４に示すように、左右対称で略四角形に形成された左フィルタ２１及び右フィルタ２２からなり、フィルタを成す四つの端縁部はそれぞれ、外側ヘ膨らむようにカーブする前端部２５と、前端部２５のカーブに対して平行な後端部２６、前端部２５から後端部２６に向かって幅が漸減するように形成される上端部２７と下端部２８からなる。左フィルタ２１と右フィルタ２２の上端部２７と下端部２８との間の長さは、マスク本体１０Ａの左側面部１１と右側面部１２の上側縁部１６と下側縁部１７との間の長さよりも短く形成される。左フィルタ２１と右フィルタ２２を重合し、一方のフィルタの前端部２５は対向する他方のフィルタの前端部２５に熱によって溶着され、シートカップ２０を拡開したとき、シートカップ２０外側面に溶着部分による突条２５ａが形成され、前端部２５のカーブによって、その上端部２７が下方へ、かつ下端部２８が上方へそれぞれ引っ張られて前端部２５の半径がさらに小さくなり、左右フィルタ２１，２２はカップ状に形成される。
また、左フィルタ２１及び右フィルタ２２の上端部２７に沿って、可撓性と非弾性を備えた合成樹脂板材を短冊状に成形した左補強片２３及び右補強片２４が左右フィルタ２１，２２の外側面に接着される。前記合成樹脂板材はポリオレフィン系合成樹脂からなり、分子配列を一軸方向に配列制御しテープ状に形成したものであって、針金のように可撓性と変形後の形状保持機能を備えたものである。前端部２５から所定の間隔Ｄを空けて接着した補強片２３，２４は、左右フィルタ２１，２２を拡開したときにフィルタが折れ曲がって変形することを防ぎ、シートカップ２０の周縁部の上顎側を補強し、さらに小鼻部分の形状に沿って撓みその形状を保持する。
【００１１】
そして、マスク本体１０Ａ内側で接合端部１５のカーブに沿って、シートカップ２０の前端部２５が接合端部１５へ当接するようにして、カバー部１４内側面へシートカップ２０外側面を貼着する。シートカップ２０はカバー部１４よりも小さく形成されているため、シートカップ２０の上端部２７とマスク本体１０Ａの上側縁部１６との間及びシートカップ２０の下端部２８とマスク本体１０Ａの下側縁部１７との間に両部分が重合しない高伸縮性の上帯部１８と下帯部１９が区画形成される。左右補強片２３，２４は直接肌に触れないようにマスク本体１０Ａとシートカップ２０上端の間に取り付けられる。
【００１２】
本発明の実施例に係る立体マスク１０の構造は以上の通りであって、図５に示すように使用される。シートカップ２０は左補強片２３及び右補強片２４が小鼻部分の左右上部へ位置するように鼻と口を覆う。該シートカップ２０を被覆するマスク本体１０Ａの角部を頭部後方へ引っ張って、耳掛け部１３を耳に掛ける。その後、左右補強片２３，２４をマスク本体１０Ａ外側面側から押圧し、小鼻部分の形状に合わせて左右補強片２３，２４を撓ませる。
このときマスク本体１０Ａはシートカップ２０よりも伸縮性の高い不織布で伸縮自在に形成されている。マスク本体１０Ａよりも伸縮しない不織布で形成されるシートカップ２０は、耳掛け部１３を耳に掛けた際に、マスク本体１０Ａのカバー部１４に押圧されても圧潰しない。したがって、シートカップ２０はマスク本体１０Ａに包み込まれて保持され、カバー部１４周縁に区画形成された上帯部１８と下帯部１９は伸縮して顔面の凹凸に合わせて密着する。そして、撓んだ左右補強片２３，２４はその形状を保持する。
また、シートカップ２０の左右フィルタ２１，２２は、不織布の目の粗さを変更すること、抗菌及び消臭作用を持たせること、及び保湿効果を持たせること等、使用目的によって最適なフィルタが選択可能である。
【００１３】
上記の本発明の実施例１に係る立体マスク１０のマスク本体１０Ａは、略三角形に裁断した一対の不織布を接合して顔下半分を覆うように形成して、マスク本体１０Ａはシートカップ２０よりも伸縮性が高い不織布を用い、シートカップ２０を包み込むようにした。したがって、マスク本体１０Ａの上帯部１８と下帯部１９は顔表面の凹凸に合わせて肌に密着し、小鼻脇の部分等に隙間ができることは無く、加えて、マスク本体１０Ａに使用される不織布は粉塵を略完全に遮断できるように繊維を高密度に積層して形成したものであるため、花粉等がシートカップ２０と口許との間に生じる空間へ侵入することを防ぐ。
また、立体マスク１０は、マスク本体１０Ａへシートカップ２０を貼着して構成される。したがって、シートカップ２０を選択可能として、使用目的に対応することができる。さらにマスク本体１０Ａ及びシートカップ２０は接合部分を中心に左右対称に形成されているため、２枚重ねにした不織布を型抜きし、一端を接合することで目的の形を得る。したがって、作業工程の簡略化が可能である。
そして、シートカップ２０の外側面上端に合成樹脂材からなる補強片２３，２４を前端部２５から間隔Ｄを設けて接着した。これら補強片２３，２４は可撓性と非弾性を備えており、シートカップ２０の周縁部で、口を開く際に上下に動かない上顎部で左右フィルタ部２１，２２が折れ曲がるのを防ぎ、シートカップ２０を補強する。さらに補強片２３，２４は小鼻部の曲線形状に沿って撓み、かつマスク本体１０Ａに押圧されることで、シートカップ２０の上縁部分が顔表面に密着する。加えてマスク本体１０Ａを口許から外しても一度撓んだ左右補強片２３，２４は弾性がないためその形状を保持する。したがって左右補強片２３，２４は元の形状に復原しないため、シートカップ２０の上縁部分が小鼻から浮き上がらず、密着状態を保つことができる。
また前端部２５から間隔Ｄを設けて補強片２３，２４を接着したため、立体マスクを形成する不織布のシートカップ２０とマスク本体１０Ａの上端中央部分は個体差のある鼻形状に沿って密着する。
そして、シートカップ２０とマスク本体１０Ａの接合部分を緩やかに外側へ膨らむカーブとした。そのため、立体マスク１０は左右に開くと接合部分の上端が下方へ、下端が上方へ引っ張られカップ状に形成される。したがって、口とフィルタ部の間に空間が生じ、会話や呼吸を容易に行なうことができる。
【図面の簡単な説明】
【００１４】
【図１】本発明の実施例１に係る立体マスクを示す斜視図である。
【図２】本発明の実施例１に係る立体マスクの裏側からの斜視図である。
【図３】本発明の実施例１に係る立体マスクでマスク本体の左側面を示す側面図である。
【図４】本発明の実施例１に係る立体マスクでシートカップを示す正面図である。
【図５】本発明の実施例１に係る立体マスクが使用される説明図である。
【符号の説明】
【００１５】
１０…立体マスク、１０Ａ…立体マスク本体、１１…左側面部、１２…右側面部、１３…耳掛け部、１４…カバー部、１５…接合端部、１５ａ…接合端部の溶着による突条、１６…上側縁部、１７…下側縁部、１８…上帯部、１９…下帯部。
２０…シートカップ、２１…左フィルタ、２２…右フィルタ、２３…左補強片、２４…右補強片、２５…前端部、２５ａ…前端部の溶着による突条、２６…後端部、２７…上端部、２８…下端部。
Ｄ…左補強片と右補強片との間隔。
【図１】
2005328937.tif 000003
【図２】
2005328937.tif 000004
【図３】
2005328937.tif 000005
【図４】
2005328937.tif 000006
【図５】
2005328937.tif 000007